(57)【要約】【課題】  コスト増大を抑制しつつ複数の照明装置を適切に制御することが可能な照明システムを提供すること。【解決手段】  照明システムＡ１は、各々が光源部７１、照明側通信部７２および照明側制御部７３を有する複数の照明器具７と、操作部２、操作側通信部４および操作側制御部５を有し、照明器具７の照明状態を規定する照明状態情報ＩＬを送信する、特定箇所に設置される操作装置１と、を備える。【選択図】  図１
2019204705.tif 000002
【特許請求の範囲】
【請求項１】
各々が光源部、照明側通信部および照明側制御部を有する複数の照明器具と、
操作部、操作側通信部および操作側制御部を有し、前記照明器具の照明状態を規定する照明状態情報を送信する、特定箇所に設置される操作装置と、
を備えることを特徴とする、照明システム。
【請求項２】
前記複数の照明器具は、各々が複数のエリアのいずれかに属し、
前記操作部は、操作対象である前記エリアを表示するエリア表示部を有し、
前記照明状態情報は、照明状態が規定されるエリアを特定するエリア情報を含む、請求項１に記載の照明システム。
【請求項３】
前記照明状態情報は、前記照明器具を点灯または消灯させるためのＯＮ／ＯＦＦ情報を含み、
前記操作部は、第１操作領域および第２操作領域を有しており、
前記操作側制御部は、前記第１操作領域に第１所定時間以上の操作がなされたことを検出した場合に、前記ＯＮ／ＯＦＦ情報を点灯状態とし、前記第２操作領域に第２所定時間以上の操作がなされたことを検出すると前記ＯＮ／ＯＦＦ情報を消灯状態とする、請求項２に記載の照明システム。
【請求項４】
前記照明状態情報は、前記照明器具の前記光源部の発光状態を調節する発光調節情報を含み、
前記操作側制御部は、前記第１操作領域に第１所定時間未満の操作がなされたことを検出した場合、または前記第２操作領域に第２所定時間未満の操作がなされたことを検出した場合に、前記発光調節情報を変更する、請求項３に記載の照明システム。
【請求項５】
前記操作部は、前記第１操作領域に対応する第１スイッチ部、前記第２操作領域に対応する第２スイッチ部、前記第１スイッチ部および前記第２スイッチ部の間に位置する揺動支持部、および前記揺動支持部によって揺動可能に支持されたパネル部を有し、
前記パネル部は、前記第１スイッチ部を押下する第１状態、前記第２スイッチ部を押下する第２状態、および前記第１スイッチ部および前記第２スイッチ部のいずれも押下しない中立状態をとる、請求項３または４に記載の照明システム。
【請求項６】
前記パネル部は、前記第１操作領域への操作または前記第２操作領域への操作によって弾性変形することにより、前記第１スイッチ部および前記第２スイッチ部への押下を許容し、かつ前記第１操作領域への操作または前記第２操作領域への操作が解除された際に、中立状態に復帰させる弾性力を付勢する弾性変形部を有する、請求項５に記載の照明システム。
【請求項７】
前記操作部の前記エリア表示部は、エリアが記載されたエリアプレート、透過性の材料からなるカバー部、および前記カバー部とともに前記エリアプレートを挟持し且つ前記エリアプレートの両側のそれぞれにおいて前記カバー部に対して脱着および回転可能に取り付けられた押さえ部と、を有する、請求項２ないし６のいずれかに記載の照明システム。
【請求項８】
主制御部および主通信部を有するサーバをさらに備えており、
前記サーバおよび前記複数の照明器具は、通信ネットワークを経由して接続されており、
前記照明状態情報は、前記サーバを経由して前記照明器具に送信される、請求項１ないし７のいずれかに記載の照明システム。
【請求項９】
前記操作装置の前記操作側通信部から送信された前記照明状態情報が、前記照明器具の前記照明側通信部によって受信される、請求項１ないし７のいずれかに記載の照明システム。
【発明の詳細な説明】
【技術分野】
【０００１】
本発明は、照明システムに関する。
【背景技術】
【０００２】
複数の照明装置を備える種々の照明システムが、提案されている。特許文献１には、従来の照明システムの一例が開示されている。同文献に記載された照明システムは、複数の照明装置とこれらの照明装置を制御するためのコントローラとを備える。照明装置は、光源としてＬＥＤを有しており、屋内の別々の部屋などの様々な場所にそれぞれ設置されている。コントローラは、たとえば使用者の操作に基づいて、照明装置のＯＮ／ＯＦＦや調光率等の光源の発光状態を制御する。
【先行技術文献】
【特許文献】
【０００３】
【特許文献１】特開２０１３−２０１０８７号公報
【発明の概要】
【発明が解決しようとする課題】
【０００４】
複数の照明装置が互いに離間した場所等に設置されるほど、コントローラから各照明装置までの距離が長くなる。このため、コントローラを用いて操作する使用者から、操作しようとする照明装置が視認できない等の不具合が生じる。一方、複数の照明装置に対応して、複数のコントローラを設置すると、コスト上昇を招来するという問題がある。
【０００５】
本発明は、上記した事情のもとで考え出されたものであって、コスト増大を抑制しつつ複数の照明装置を適切に制御することが可能な照明システムを提供することをその課題とする。
【課題を解決するための手段】
【０００６】
本発明によって提供される照明システムは、各々が光源部、照明側通信部および照明側制御部を有する複数の照明器具と、操作部、操作側通信部および操作側制御部を有し、前記照明器具の照明状態を規定する照明状態情報を送信する、特定箇所に設置される操作装置と、を備えることを特徴としている。
【０００７】
本発明の好ましい実施の形態においては、前記複数の照明器具は、各々が複数のエリアのいずれかに属し、前記操作部は、操作対象である前記エリアを表示するエリア表示部を有し、前記照明状態情報は、照明状態が規定されるエリアを特定するエリア情報を含む。
【０００８】
本発明の好ましい実施の形態においては、前記照明状態情報は、前記照明器具を点灯または消灯させるためのＯＮ／ＯＦＦ情報を含み、前記操作部は、第１操作領域および第２操作領域を有しており、前記操作側制御部は、前記第１操作領域に第１所定時間以上の操作がなされたことを検出した場合に、前記ＯＮ／ＯＦＦ情報を点灯状態とし、前記第２操作領域に第２所定時間以上の操作がなされたことを検出すると前記ＯＮ／ＯＦＦ情報を消灯状態とする。
【０００９】
本発明の好ましい実施の形態においては、前記照明状態情報は、前記照明器具の前記光源部の発光状態を調節する発光調節情報を含み、前記操作側制御部は、前記第１操作領域に第１所定時間未満の操作がなされたことを検出した場合、または前記第２操作領域に第２所定時間未満の操作がなされたことを検出した場合に、前記発光調節情報を変更する。
【００１０】
本発明の好ましい実施の形態においては、前記操作部は、前記第１操作領域に対応する第１スイッチ部、前記第２操作領域に対応する第２スイッチ部、前記第１スイッチ部および前記第２スイッチ部の間に位置する揺動支持部、および前記揺動支持部によって揺動可能に支持されたパネル部を有し、前記パネル部は、前記第１スイッチ部を押下する第１状態、前記第２スイッチ部を押下する第２状態、および前記第１スイッチ部および前記第２スイッチ部のいずれも押下しない中立状態をとる。
【００１１】
本発明の好ましい実施の形態においては、前記パネル部は、前記第１操作領域への操作または前記第２操作領域への操作によって弾性変形することにより、前記第１スイッチ部および前記第２スイッチ部への押下を許容し、かつ前記第１操作領域への操作または前記第２操作領域への操作が解除された際に、中立状態に復帰させる弾性力を付勢する弾性変形部を有する。
【００１２】
本発明の好ましい実施の形態においては、前記操作部の前記エリア表示部は、エリアが記載されたエリアプレート、透過性の材料からなるカバー部、および前記カバー部とともに前記エリアプレートを挟持し且つ前記エリアプレートの両側のそれぞれにおいて前記カバー部に対して脱着および回転可能に取り付けられた押さえ部と、を有する。
【００１３】
本発明の好ましい実施の形態においては、主制御部および主通信部を有するサーバをさらに備えており、前記サーバおよび前記複数の照明器具は、通信ネットワークを経由して接続されており、前記照明状態情報は、前記サーバを経由して前記照明器具に送信される。
【００１４】
本発明の好ましい実施の形態においては、前記操作装置の前記操作側通信部から送信された前記照明状態情報が、前記照明器具の前記照明側通信部によって受信される。
【発明の効果】
【００１５】
本発明によれば、コスト増大を抑制しつつ複数の照明装置を適切に制御することができる。
【００１６】
本発明のその他の特徴および利点は、添付図面を参照して以下に行う詳細な説明によって、より明らかとなろう。
【図面の簡単な説明】
【００１７】
【図１】本発明の第１実施形態に係る照明システムを示すシステム構成図である。
【図２】本発明の第１実施形態に係る照明システムの操作装置を示す斜視図である。
【図３】本発明の第１実施形態に係る照明システムの操作装置を示す正面図である。
【図４】本発明の第１実施形態に係る照明システムの操作装置を示す側面図である。
【図５】本発明の第１実施形態に係る照明システムの操作装置を示す背面図である。
【図６】本発明の第１実施形態に係る照明システムの操作装置を示す分解斜視図である。
【図７】図３のＶＩＩ−ＶＩＩ線に沿う断面図である。
【図８】図３のＶＩＩＩ−ＶＩＩＩ線に沿う断面図である。
【図９】図３のＩＸ−ＩＸ線に沿う断面図である。
【図１０】図９のＸ−Ｘ線に沿う要部拡大断面図である。
【図１１】本発明の第１実施形態に係る照明システムの操作装置のスイッチ基板を示す（ａ）は側面図であり、（ｂ）は正面図である。
【図１２】本発明の第１実施形態に係る照明システムの操作装置の操作部を示す分解斜視図である。
【図１３】本発明の第１実施形態に係る照明システムの操作装置の操作部のパネル部を示す（ａ）は正面図であり、（ｂ）は底面図であり、（ｃ）は背面図であり、（ｄ）は側面図である。
【図１４】本発明の第１実施形態に係る照明システムの操作装置の操作部のカバー部を示す（ａ）は正面図であり、（ｂ）は底面図であり、（ｃ）は背面図であり、（ｄ）は側面図である。
【図１５】本発明の第１実施形態に係る照明システムの操作装置の操作部の押さえ部を示す（ａ）は正面図であり、（ｂ）は底面図であり、（ｃ）は背面図であり、（ｄ）は側面図である。
【図１６】本発明の第１実施形態に係る照明システムの操作装置の操作部のカバー部および押さえ部を示す底面図である。
【図１７】本発明の第１実施形態に係る照明システムにおける照明状態情報の一例を示す説明図である。
【図１８】本発明の第１実施形態に係る照明システムの制御の一例を示すフローチャートである。
【図１９】本発明の第１実施形態に係る照明システムの変形例を示すシステム構成図である。
【図２０】本発明の第２実施形態に係る照明システムを示すシステム構成図である。
【図２１】本発明の第３実施形態に係る照明システムを示すシステム構成図である。
【発明を実施するための形態】
【００１８】
以下、本発明の好ましい実施の形態につき、図面を参照して具体的に説明する。
【００１９】
＜第１実施形態＞
図１〜図１８は、本発明の第１実施形態に係る照明システムを示している。本実施形態の照明システムＡ１は、図１に示すように、操作装置１、複数の照明器具７、サーバ８およびネットワークＮを備えている。照明システムＡ１は、屋内等における任意の箇所に配置された複数の照明器具７を使用者の操作等によって点灯制御するシステムである。
【００２０】
図１は、照明システムＡ１を示すシステム構成図である。図２は、照明システムＡ１の操作装置１を示す斜視図である。図３は、照明システムＡ１の操作装置１を示す正面図である。図４は、照明システムＡ１の操作装置１を示す側面図である。図５は、照明システムＡ１の操作装置１を示す背面図である。図６は、照明システムＡ１の操作装置１を示す分解斜視図である。図７は、図３のＶＩＩ−ＶＩＩ線に沿う断面図である。図８は、図３のＶＩＩＩ−ＶＩＩＩ線に沿う断面図である。図９は、図３のＩＸ−ＩＸ線に沿う断面図である。図１０は、図９のＸ−Ｘ線に沿う要部拡大断面図である。図１１は、照明システムＡ１の操作装置１のスイッチ基板を示す（ａ）は側面図であり、（ｂ）は正面図である。図１２は、照明システムＡ１の操作装置１の操作部を示す分解斜視図である。図１３は、照明システムＡ１の操作装置１の操作部のパネル部を示す（ａ）は正面図であり、（ｂ）は底面図であり、（ｃ）は背面図であり、（ｄ）は側面図である。図１４は、照明システムＡ１の操作装置１の操作部のカバー部を示す（ａ）は正面図であり、（ｂ）は底面図であり、（ｃ）は背面図であり、（ｄ）は側面図である。図１５は、照明システムＡ１の操作装置１の操作部の押さえ部を示す（ａ）は正面図であり、（ｂ）は底面図であり、（ｃ）は背面図であり、（ｄ）は側面図である。図１６は、照明システムＡ１の操作装置１の操作部のカバー部および押さえ部を示す底面図である。図１７は、照明システムＡ１における照明状態情報の一例を示す説明図である。図１８は、照明システムＡ１の制御の一例を示すフローチャートである。
【００２１】
＜操作装置１＞
操作装置１は、使用者が複数の照明器具７の点灯状態を所望の状態に変更するための操作を行うためのものである。照明システムＡ１においては、１つの操作装置１を備えているが、操作装置１の個数は特に限定されない。図１〜図７に示すように、本実施形態の操作装置１は、複数の操作部２、ケース３、操作側通信部４、操作側制御部５、電池６１、取付部６２および発光インジケータ６３を有する。操作装置１は、建築物等の壁面ＷＬに設置されて使用される。壁面ＷＬは、本発明の特定箇所の一例に相当する。特定箇所としては、ほかに柱や家具、さらに種々の屋内設備等が挙げられる。
【００２２】
＜ケース３＞
ケース３は、操作部２、操作側通信部４、操作側制御部５、電池６１および発光インジケータ６３等を収容し、あるいは支持するためのものである。ケース３の材質は特に限定されず、たとえばＡＢＳ樹脂からなる。ケース３の形状は特に限定されず、図示された例においては、前面部３１、背面部３２、側面部３３、側面部３４、複数の揺動支持部３５、複数の当接部３６、複数の係止部３７および電池収容部３８を有する。
【００２３】
前面部３１は、ケース３のｙ方向における前方に位置する部位であり、使用状態において使用者に正対する部位である。前面部３１の形状は特に限定されず、図示された例においては、矩形状である。図示された例においては、前面部３１は、開口３１１を有する。開口３１１は、前面部３１のｚ方向上側部分に形成されている。開口３１１の形状は特に限定されず、図示された例においては、矩形状である。
【００２４】
背面部３２は、ケース３のｙ方向における後方に位置する部位であり、使用状態において壁面ＷＬに正対する部位である。背面部３２の形状は特に限定されず、図示された例においては、前面部３１と同様に矩形状である。
【００２５】
側面部３３は、前面部３１のｘ方向両側およびｚ方向両側に繋がっており、ｙ方向に沿った形状である。側面部３４は、背面部３２のｘ方向両側およびｚ方向両側に繋がっており、ｙ方向に沿った形状である。図示された例においては、ケース３は分割構造とされており、前面部３１および側面部３３を有する前側部分と、背面部３２および側面部３４を有する後側部分とからなる。なお、ケース３は、３つ以上に分割された構造であってもよいし、１つのみの部位からなる一体構造であってもよい。
【００２６】
複数の揺動支持部３５は、各々がパネル部２１０を揺動可能に支持するためのものである。複数の揺動支持部３５は、図６〜図９に示すように、背面部３２からｙ方向前方に突出している。図示された例においては、複数の揺動支持部３５は、ｚ方向に沿って等ピッチで配列されている。また、複数の揺動支持部３５は、ｘ方向において背面部３２の略中央に位置している。図示された例においては、揺動支持部３５は、ｚ方向を軸方向とする棒状部分を有する。
【００２７】
複数の当接部３６は、パネル部２１０が操作された際に、パネル部２１０と当接する部位である。図６および図８〜図１０に示すように、複数の当接部３６は、背面部３２からｙ方向前方に突出するリブからなる。複数の当接部３６は、ｘ方向両側に分かれて配置されており、ｚ方向に沿って等ピッチで配列されている。図示された例においては、当接部３６は、背面部３２と側面部３４とに繋がっている。
【００２８】
複数の係止部３７は、取付部６２を脱着可能に取り付けるための部位である。図示された例においては、取付部６２は、背面部３２に形成された複数の係合孔によって構成されている。複数の係止部３７の個数や配置は特に限定されず、図示された例においては、４つの係止部３７が矩形状の角を構成するように配置されている。
【００２９】
電池収容部３８は、電池６１を収容するための部位であり、背面部３２からｙ方向前方に凹んだ凹部である。図示された例においては、電池収容部３８は、２つの電池６１を収容可能である。また、ケース３は、電池カバー３８１を有する。電池カバー３８１は、電池収容部３８を塞ぐものであり、背面部３２に対して脱着可能である。
【００３０】
＜操作部２＞
操作部２は、使用者が複数の照明器具７の点灯を制御するための操作を電気信号等に変換し、たとえば検出信号として出力する部位である。操作装置１が備える操作部２の個数は特に限定されず、図示された例においては、４つの操作部２を備えている。図１〜図１６に示すように、本実施形態の操作部２は、パネル部２１０、カバー部２２０、エリアプレート２３０、押さえ部２４０、第１スイッチ部２１および第２スイッチ部２２を備えており、第１操作領域２０１、第２操作領域２０２およびエリア表示部２０３が設定されている。
【００３１】
第１スイッチ部２１および第２スイッチ部２２は、操作部２に対する使用者の操作にしたがって、検出信号を出力するものである。図６〜図９および図１１に示すように、本実施形態においては、４つの第１スイッチ部２１と４つの第２スイッチ部２２とが、スイッチ基板２９のｙ方向における前面側に実装されている。スイッチ基板２９は、たとえばガラスエポキシ樹脂からなる配線基板である。４つの第１スイッチ部２１と４つの第２スイッチ部２２とは、ｘ方向において互いに離間して配置されている。４つの第１スイッチ部２１は、ｚ方向に等ピッチで配置されている。４つの第２スイッチ部２２は、ｚ方向に等ピッチで配置されている。
【００３２】
第１スイッチ部２１および第２スイッチ部２２の具体的構成は特に限定されず、図示された例においては、たとえば押下によって導通状態をとる一般的なスイッチモジュールが採用されている。このような第１スイッチ部２１および第２スイッチ部２２は、後述の操作による押下にしたがって、検出信号を出力する。この検出信号は、第１スイッチ部２１および第２スイッチ部２２の押下がなされている間、継続して出力される。
【００３３】
スイッチ基板２９は、複数の開口２９１を有する。複数の開口２９１は、ケース３の複数の揺動支持部３５をｙ方向後方からｙ方向前方に突出させるためのものである。図示された例においては、スイッチ基板２９には、４つの開口２９１が形成されている。４つの開口２９１は、ｚ方向に等ピッチで配置されている。４つの開口２９１から突出する４つの揺動支持部３５は、各々がｘ方向において第１スイッチ部２１と第２スイッチ部２２との間に位置しており、図示された例においては、第１スイッチ部２１と第２スイッチ部２２との略中間に位置している。なお、スイッチ基板２９のｙ方向前面側に、図示しない絶縁シートを設けてもよい。
【００３４】
パネル部２１０は、揺動支持部３５に揺動可能に支持され、第１スイッチ部２１および第２スイッチ部２２を押下するための部材である。図１２および図１３に示すように、図示された例においては、第１操作領域２０１は、主板部２１１、開口２１２、側板部２１３、複数の取付部２１４、複数の弾性変形部２１５、複数の突起２１６および複数の押下突起２１７を有する。パネル部２１０の材質は特に限定されず、たとえばＡＢＳ樹脂からなる。
【００３５】
主板部２１１は、パネル部２１０のベースとなる部位であり、ｙ方向前方に露出している。主板部２１１の形状は特に限定されず、図示された例においては、ｘ方向を長手方向とする長矩形状である。
【００３６】
開口２１２は、主板部２１１を貫通する開口部分である。開口２１２の形状は特に限定されず、図示された例においては、ｘ方向を長手方向とする長矩形状である。また、開口２１２は、主板部２１１の略中央に位置している。
【００３７】
側板部２１３は、主板部２１１からｙ方向後方に繋がっており、ｙ方向に沿った板状部位である。図示された例においては、側板部２１３は、主板部２１１のｚ方向両側に繋がる部位と、主板部２１１のｘ方向両側に繋がる部位とを含む。
【００３８】
複数の取付部２１４は、ケース３の揺動支持部３５に係合することにより、パネル部２１０を揺動可能にケース３によって支持するための部位である。複数の取付部２１４の個数は特に限定されず、図示された例においては、２つの取付部２１４が設けられている。２つの取付部２１４は、ｚ方向に互いに離間して配置されている。取付部２１４は、側板部２１３からｙ方向後方に突出しており、主板部２１１のｘ方向における略中央に位置している。図示された例においては、取付部２１４は、ｙ方向後方に開口する凹部を有する。この凹部が揺動支持部３５の棒状部分に係合する。
【００３９】
複数の弾性変形部２１５は、パネル部２１０が操作された際に、パネル部２１０を後述の中立状態に復帰させるための弾性力を付勢するためのものである。弾性変形部２１５の個数は特に限定されず、図示された例においては、４つの弾性変形部２１５が設けられており、ｘ方向両側に２つずつの弾性変形部２１５が配置されている。弾性変形部２１５は、主板部２１１のｘ方向端部のｙ方向中央部分からｙ方向外方に向かって延出する形状である。
【００４０】
複数の突起２１６は、主板部２１１のｙ方向前側に設けられている。複数の突起２１６の個数は特に限定されず、図示された例においては、２つの突起２１６が設けられている。２つの突起２１６は、開口２１２を挟んで主板部２１１のｘ方向両端付近に離間して配置されている。
【００４１】
複数の押下突起２１７は、使用者の操作によって、第１スイッチ部２１および第２スイッチ部２２を押下する部位である。図示された例においては、２つの押下突起２１７が設けられている。２つの押下突起２１７は、主板部２１１のｙ方向後側に設けられており、開口２１２を挟んでｘ方向両端付近に離間して配置されている。押下突起２１７は、主板部２１１からｙ方向後方に突出しており、図示された例においては、ｙ方向視において十字形状のリブからなる。
【００４２】
カバー部２２０は、パネル部２１０に対してｙ方向後方から組み合わせられる部材である。図１２および図１４に示すように、図示された例においては、カバー部２２０は、主板部２２１、凸窓部２２２、複数の係止板部２２３および複数の突起２２４を有する。カバー部２２０の材質は特に限定されず、たとえば透明な樹脂からなる。
【００４３】
主板部２２１は、カバー部２２０のベースとなる部位である。主板部２１１の形状は特に限定されず、図示された例においては、ｘ方向を長手方向とする略長矩形状である。
【００４４】
凸窓部２２２は、エリアプレート２３０を操作部２のｙ方向前面に視認可能に保持する部位である。凸窓部２２２は、主板部２２１からｙ方向前方に突出している。主板部２２１の形状は特に限定されず、図示された例においては、ｙ方向視においてｘ方向を長手方向とする長矩形状である。
【００４５】
複数の係止板部２２３は、押さえ部２４０との係合を実現するための部位である。図示された例においては、２つの係止板部２２３が主板部２２１のｘ方向両側に設けられている。係止板部２２３は、主板部２２１のｘ方向端部のｙ方向後方側部分からｘ方向外方に延出している。図示された例においては、係止板部２２３のｚ方向寸法は、主板部２２１のｘ方向端部のｚ方向寸法と略同じである。
【００４６】
複数の突起２２４は、押さえ部２４０との係合を実現するための部位である。図示された例においては、４つの突起２２４が設けられている。１つの係止板部２２３に、２つの突起２２４がｚ方向に離間して設けられている。突起２２４は、係止板部２２３からｙ方向視において前方に突出している。
【００４７】
エリアプレート２３０は、使用者の操作を補助しうる表示内容が記載される部位である。エリアプレート２３０の形状は特に限定されず、図示された例においては、カバー部２２０の凸窓部２２２に保持可能な長矩形状である。また、エリアプレート２３０の材質は特に限定されず、表示内容の記載に適した材質、たとえば、例えば、紙やプラスチックシートが適宜採用される。エリアプレート２３０には、制御対象とするエリア名が、たとえば、「事務所２Ｆ東エリア」などと分かり易く記載される。
【００４８】
押さえ部２４０は、カバー部２２０とともにエリアプレート２３０を挟持するためのものである。図１２および図１５に示すように、図示された例においては、押さえ部２４０は、主板部２４１、複数のアーム部２４３および複数の係止部２４４を有する。押さえ部２４０の材質は、特に限定されず、たとえばＡＢＳ樹脂からなる。
【００４９】
主板部２４１は、押さえ部２４０のベースとなる部位である。主板部２４１の形状は特に限定されず、図示された例においては、ｘ方向を長手方向とする長矩形状である。
【００５０】
複数のアーム部２４３は、押さえ部２４０をカバー部２２０に対して回転可能に取り付けることを実現するための部位である。アーム部２４３の個数は特に限定されず、図示された例においては、４つのアーム部２４３が設けられている。２つずつのアーム部２４３がｘ方向両側に設けられており、ｘ方向片側において２つのアーム部２４３がｚ方向に離間して配置されている。アーム部２４３は、主板部２４１のｘ方向中央部分からｘ方向に延出している。
【００５１】
複数の係止部２４４は、複数のアーム部２４３とともに、押さえ部２４０をカバー部２２０に対して回転可能に取り付けることを実現するための部位である。複数の係止部２４４の個数は特に限定されず、図示された例においては、４つの係止部２４４が設けられている。４つの係止部２４４は、４つのアーム部２４３に各別に設けられている。係止部２４４は、アーム部２４３のｘ方向先端付近からｚ方向内方に突出している。
【００５２】
図１２に示すように、図示された例においては、エリアプレート２３０がカバー部２２０と押さえ部２４０とに挟まれる。また、押さえ部２４０の複数の係止部２４４がカバー部２２０の係止板部２２３および複数の突起２２４に係合させられる。なお、係止部２４４と係止板部２２３および突起２２４は、脱着自在であり、図１６に示すように、ｘ方向における片側のみにおいて係合可能である。カバー部２２０、エリアプレート２３０および押さえ部２４０は、たとえばカバー部２２０がパネル部２１０に嵌合することによりパネル部２１０に固定される。カバー部２２０、エリアプレート２３０および押さえ部２４０のパネル部２１０への固定方法は、何ら限定されない。
【００５３】
図２および図３に示すように、第１操作領域２０１、第２操作領域２０２およびエリア表示部２０３は、操作部２のｙ方向前方から視認可能な位置に設けられている。本実施形態においては、４つの操作部２のそれぞれに、１つずつの第１操作領域２０１、第２操作領域２０２およびエリア表示部２０３が設定されている。
【００５４】
第１操作領域２０１は、操作部２の主板部２１１のｘ方向一方側（図３における図中右側）に配置されている。第１操作領域２０１は、使用者によって押下される部位であり、第１スイッチ部２１に検出信号を出力させることが意図された部位である。図示された例においては、第１操作領域２０１には、上昇や増大をイメージさせる上向きの図記号が設けられている。
【００５５】
第２操作領域２０２は、操作部２の主板部２１１のｘ方向他方側（図３における図中左側）に配置されている。第２操作領域２０２は、使用者によって押下される部位であり、第２スイッチ部２２に検出信号を出力させることが意図された部位である。図示された例においては、第２操作領域２０２には、下降や減少をイメージさせる下向きの図記号が設けられている。
【００５６】
エリア表示部２０３は、第２スイッチ部２２の凸窓部２２２を透してエリア表示部２０３に記載された内容をｙ方向前方に視認可能とする部位である。エリア表示部２０３は、第１操作領域２０１および第２操作領域２０２の間に位置している。本実施形態においては、エリア表示部２０３に後述する照明器具７のエリアが表示されている。これにより、いずれの操作部２を操作することにより、いずれのエリアの照明器具７を制御できるかが認識される。
【００５７】
＜操作側通信部４＞
操作側通信部４は、操作装置１に対する使用者の操作に基づいて、照明状態情報ＩＬを送信するためのものである。本実施形態においては、操作側通信部４は、無線通信を用いた照明状態情報ＩＬの送信を行う。操作側通信部４が行う無線通信の方式等は特に限定されず、電波を用いた無線通信や赤外線を用いた通信等であってもよい。本実施形態においては、操作側通信部４は、電波を用いた無線通信を行う。操作側通信部４の無線通信の規格等は、特に限定されず、たとえば、IEEE802.11に準拠するWi-FiやIEEE802.15.1に準拠するBluetooth（登録商標）、ISO/IEC14543に準拠するEnOcean（登録商標）等が例示される。
【００５８】
図１１に示すように、本実施形態においては、操作側通信部４は、スイッチ基板２９のｙ方向における背面側に設けられている。また、スイッチ基板２９は、操作側通信部４による無線通信に用いられるアンテナ部分が形成されていてもよい。
【００５９】
＜操作側制御部５＞
操作側制御部５は、操作部２における操作によって出力された検出信号に基づいて、照明状態情報ＩＬを生成し、この照明状態情報ＩＬを操作側制御部５に送信させる制御を行う。操作側制御部５は、たとえばＩＣ等の集積処理回路や記憶部としての半導体メモリ等を適宜具備する。操作側制御部５は、たとえばスイッチ基板２９に実装される（図示略）。
【００６０】
＜電池６１＞
電池６１は、操作装置１の電源の一例である。本実施形態においては、２つの電池６１が用いられている。電池６１は、充電式の二次電池であってもよい。
【００６１】
＜取付部６２＞
取付部６２は、操作装置１を壁面ＷＬ等に脱着自在に取り付けるためのものである。本実施形態においては、取付部６２は、プレート部６２１および複数のねじ６２３を有する。
【００６２】
プレート部６２１は、たとえばＡＢＳ樹脂からなる板状部材である。図５および図６に示すように、プレート部６２１の形状は特に限定されず、図示された例においては、矩形状である。プレート部６２１には、複数の係止部６２２が形成されている。複数の係止部６２２は、プレート部６２１からｙ方向前方に突出している。複数の係止部６２２の個数は特に限定されず、図示された例においては、４つの係止部６２２が設けられている。４つの係止部６２２は、ケース３の背面部３２に設けられた４つの係止部３７に各別に係合する。これにより、取付部６２は、ケース３に対して脱着自在とされている。複数のねじ６２３は、プレート部６２１を壁面ＷＬ等に固定するためのものである。図示された例においては、２つのねじ６２３が設けられている。ねじ６２３の種類は特に限定されず、たとえば木ねじである。
【００６３】
＜発光インジケータ６３＞
発光インジケータ６３は、操作装置１の所望の状態を表示するためのものであり、たとえばＬＥＤモジュールからなる。発光インジケータ６３の発光は、操作側制御部５によって制御され、たとえば電池６１の残量が所定以下になった場合に、赤色に発光する。これにより、使用者は、電池６１の交換時期が近いことを認識することができる。
【００６４】
＜照明器具７＞
照明器具７は、設置箇所の周囲を照らすための器具である。照明器具７の種類や具体的構成は特に限定されない。照明器具７は、たとえば屋内の天井や壁面に取り付けられたり、床面に載置されたりする。図１に示すように、本実施形態においては、照明器具７は、光源部７１、照明側通信部７２、照明側制御部７３および電源部７４を有する。
【００６５】
光源部７１は、発光する部位であり、種々の光源デバイスを有する。本実施形態においては、光源部７１は、ＬＥＤを有する。ＬＥＤの個数は、特に限定されない。また、光源部７１は、複数種類のＬＥＤを有するものであってもよい。
【００６６】
光源部７１が有するＬＥＤに流す電流によりＬＥＤの輝度は変化し、その結果として照明器具７が発する光の全光束も変化する。このような光の調節を調光といい、ＬＥＤに流す電流を最大とした時を１００％として全光束を相対表示したものを調光率という。以降の説明においては、光源部７１の全光束を大きくすることを調光率を上げる（上昇させる、増大させる）と称し、光源部７１の光の全光束を小さくすることを調光率を下げる（下降させる、減少させる）と称する。
【００６７】
照明側通信部７２は、通信によって照明状態情報ＩＬを受信する部位である。照明側通信部７２による通信形式は特に限定されず、有線通信、無線通信等が適宜採用される。本実施形態においては、ネットワークＮに照明側通信部７２が接続されている。ネットワークＮは、たとえばEthernet方式のＬＡＮ（ローカル・エリア・ネットワーク）であり、無線通信および有線通信が適宜採用される。照明側通信部７２には、照明器具７を特定するアドレス情報である照明器具ＩＤが記憶されている。
【００６８】
照明側制御部７３は、照明側通信部７２によって受信した照明状態情報ＩＬに基づいて、照明器具７の照明状態を制御するものである。照明側通信部７２の構成は特に限定されず、たとえば集積回路素子やＬＥＤドライバ、あるいは記憶部としての半導体メモリを有する。照明側制御部７３による照明器具７の照明状態の制御は、たとえば照明器具７をＯＮまたはＯＦＦさせる点灯制御や、光源部７１の調光率（発光状態）を制御する発光制御が含まれる。光源部７１による調光率の制御（発光制御）は、たとえばＰＷＭ制御によって行われる。記憶部には、後述する照明状態情報ＩＬの各項目の設定値等が適宜記憶されている。
【００６９】
電源部７４は、光源部７１を発光させるための電力を供給するものである。電源部７４は、たとえば商用の１００Ｖ交流電力を光源部７１に適した直流電力に変換する。電源部７４は、照明側制御部７３によって制御される。
【００７０】
本実施形態においては、照明システムＡ１は、複数の照明器具７を備える。複数の照明器具７は、複数のエリアのいずれかに属することが定義される。図示された例においては、エリアＡＲ１に１つの照明器具７が属しており、エリアＡＲ２に１つの照明器具７が属しており、Ｎ番目のエリアＡＲｎに１つの照明器具７が属している。エリアの個数や、あるエリアに属する照明器具７の個数は、特に限定されない。なお、Ｎ＝４である場合、４つの操作部２を有する１つの操作装置１によって、すべてのエリアの照明器具７を操作することができる。
【００７１】
＜サーバ８＞
サーバ８は、操作装置１になされた操作に基づいて、複数の照明器具７を統合制御するものである。本実施形態においては、サーバ８は、主制御部８１、主通信部８２および主記憶部８３を有する。サーバ８は、たとえば複数の照明器具７が設置された建築物のいずれかの任意の場所に設置されるが、別の建築物に設置されていてもよい。
【００７２】
主制御部８１は、サーバ８による制御を行う中枢部位である。主制御部８１は、たとえばＣＰＵからなる。
【００７３】
主通信部８２は、サーバ８の通信機能を果たすものである。本実施形態においては、主通信部８２は、有線部８２１および無線部８２２を有する。
【００７４】
有線部８２１は、ネットワークＮに接続されている。なお、サーバ８をネットワークＮに無線通信によって接続する場合、有線部８２１に代えて所定の無線部を有してもよい。
【００７５】
無線部８２２は、操作装置１の操作側通信部４と無線通信を行うことにより、操作装置１からの照明状態情報ＩＬを受信するものである。無線部８２２の無線通信方式は特に限定されず、操作側通信部４と同様にたとえば、IEEE802.11に準拠するWi-FiやIEEE802.15.1に準拠するBluetooth（登録商標）、ISO/IEC14543に準拠するEnOcean（登録商標）等が例示される。
【００７６】
主記憶部８３は、サーバ８による統合制御に必要となる情報が適宜記憶される部位であり、たとえばハードディスクや半導体メモリからなる。主記憶部８３には、たとえば複数の照明器具７とエリアとの対応や、後述する照明状態情報ＩＬの各種項目の設定値等が記憶されている。また、複数の照明器具７の時間帯ごとの調光率を制御する、いわゆるスケジュール制御の設定値も記憶されている。
【００７７】
次に、照明システムＡ１における照明状態の制御や動作について、以下に説明する。
【００７８】
以降の制御や動作を行うためのサーバ８の初期設定は、たとえば、図示しないキーボードやディスプレイを通じて手動操作により行われる。サーバ８が制御対象とする各照明器具７の照明器具ＩＤが主記憶部８３に登録され、更に、各照明器具７がいずれのエリアに属するかが設定される。同様に、サーバ８が照明状態情報ＩＬを受信する操作装置１を特定するアドレス情報であるスイッチ情報も主記憶部８３に登録される。更に、操作装置１が有する複数の操作部２のそれぞれが、エリアＡＲ１からエリアＡＲｎのいずれに対する操作であるかを対応づける情報も主記憶部８３に登録される。
【００７９】
図１７は、照明状態情報ＩＬの一例を示している。照明状態情報ＩＬは、操作装置１における操作にしたがって、操作側制御部５によって生成され、操作側通信部４から無線通信によってサーバ８に送信され、該当する照明器具７に送信される情報である。
【００８０】
本実施形態の照明状態情報ＩＬは、スイッチ情報ＩＬ１、エリア情報ＩＬ２、ＯＮ／ＯＦＦ情報ＩＬ３および発光調節情報ＩＬ４を含む。
【００８１】
スイッチ情報ＩＬ１は、照明状態情報ＩＬを発する操作装置１を特定する情報である。本実施形態においては、照明システムＡ１は、１つのみの操作装置１を備える。このため、スイッチ情報ＩＬ１は、利用されないか、あるいはＳＷ１等の固定値が割り当てられる。
【００８２】
エリア情報ＩＬ２は、操作装置１が有する複数の操作部２のいずれが操作されたかを示す情報である。たとえばｚ方向で一番上の操作部２が操作されたとすると、一番上の操作部２に対応する情報がエリア情報ＩＬ２として生成される。上述した通り、サーバ８には操作装置１の各操作部２とエリアとの対応付けに関する情報が登録されているため、操作装置１から送信されてきたスイッチ情報ＩＬ１とエリア情報ＩＬ２により、どのエリアの照明器具７を制御すべきか認識できる。
【００８３】
ＯＮ／ＯＦＦ情報ＩＬ３は、対象となるエリアの照明器具７の点灯状態を制御するための情報である。具体的には、ＯＮ／ＯＦＦ情報ＩＬ３は、操作装置１の操作にしたがって、ＯＮまたはＯＦＦの情報が割り当てられる。
【００８４】
発光調節情報ＩＬ４は、対象となるエリアの照明器具７の発光状態を制御するための情報である。発光調節情報ＩＬ４の具体的な内容は特に限定されず、本実施形態において、照明器具７の光源部７１が上述の例示した構成である場合、発光調節情報ＩＬ４は、対象となるエリアの照明器具７の調光率を増減させる情報が割り当てられ、たとえば１０％ｕｐ、２０％ｕｐ、１０％ｄｏｗｎ、２０％ｄｏｗｎ、等の値が適宜割り当てられる。なお、発光調節情報ＩＬ４は、調光率以外の発光状態に関する情報であってもよく、たとえば光源部７１の色温度を調節する情報であってもよい。
【００８５】
図８に示す操作部２は、第１操作領域２０１および第２操作領域２０２のいずれもが使用者によって押下されていない。この場合、第１操作領域２０１は、第１スイッチ部２１および第２スイッチ部２２のいずれも押下していない。この状態を、中立状態と定義する。
【００８６】
図９に示す操作部２は、第１操作領域２０１が使用者によって押下されており、第１操作領域２０１に対応する第１スイッチ部２１をパネル部２１０の弾性変形部２１５が押下している。この状態を、第１状態と定義する。一方、第２操作領域２０２が使用者によって押下されると、第２操作領域２０２に対応する第２スイッチ部２２をパネル部２１０の弾性変形部２１５が押下する。この状態を第２状態と定義する。
【００８７】
図１８は、操作装置１の操作による制御の一例を示している。
【００８８】
同図に示された制御においては、まず、ステップＳ０において、操作装置１の制御が開始する。
【００８９】
次に、ステップＳ１において、第１スイッチ部２１が押下されているかを操作側制御部５が判断する。第１スイッチ部２１からの検出信号が出力されている場合（ステップＳ１：Ｙｅｓ）、操作側制御部５は、ステップＳ２を実行する。
【００９０】
ステップＳ２において、第１スイッチ部２１からの検出信号が予め設定された第１所定時間以上にわたって継続して出力されている場合（ステップＳ２：Ｙｅｓ）、操作側制御部５は、ステップＳ３において、エリア情報ＩＬ２に押下された操作部２に対応するエリアを割り当て、また、ＯＮ／ＯＦＦ情報ＩＬ３をＯＮに設定する。これは、使用者が、ある操作部２の第１操作領域２０１を第１所定時間以上押下していることに相当する。
【００９１】
一方、第１スイッチ部２１からの検出信号が継続して出力された時間が、第１所定時間未満である場合（ステップＳ２：Ｎｏ）、操作側制御部５は、ステップＳ４において、エリア情報ＩＬ２に押下された操作部２に対応するエリアを割り当て、また、発光調節情報ＩＬ４を１０％ｕｐに設定する。これは、使用者が、ある操作部２の第１操作領域２０１を第１所定時間未満だけ押下したことに相当する。
【００９２】
ステップＳ１において第１スイッチ部２１が押下されていない場合（ステップＳ１：Ｎｏ）、操作側制御部５は、ステップＳ５において第２スイッチ部２２が押下されているかを判断する。第２スイッチ部２２からの検出信号が出力されている場合（ステップＳ５：Ｙｅｓ）、操作側制御部５は、ステップＳ６を実行する。
【００９３】
ステップＳ６において、第２スイッチ部２２からの検出信号が予め設定された第２所定時間以上にわたって継続して出力されている場合（ステップＳ６：Ｙｅｓ）、操作側制御部５は、ステップＳ７において、エリア情報ＩＬ２に押下された操作部２に対応するエリアを割り当て、また、ＯＮ／ＯＦＦ情報ＩＬ３をＯＦＦに設定する。これは、使用者が、ある操作部２の第２操作領域２０２を第２所定時間以上押下していることに相当する。なお、第２所定時間は、第１所定時間と同じであることが好ましいが、第１所定時間と異なる時間であってもよい。
【００９４】
一方、第２スイッチ部２２からの検出信号が継続して出力された時間が、第２所定時間未満である場合（ステップＳ６：Ｎｏ）、操作側制御部５は、ステップＳ８において、エリア情報ＩＬ２に押下された操作部２に対応するエリアを割り当て、また、発光調節情報ＩＬ４を１０％ｄｏｗｎに設定する。これは、使用者が、ある操作部２の第２操作領域２０２を第２所定時間未満だけ押下したことに相当する。
【００９５】
ステップＳ３，Ｓ４，Ｓ７，Ｓ８を終えると、操作側制御部５は、ステップＳ９を実行する。ステップＳ９においては、操作側制御部５は、設定した照明状態情報ＩＬを操作側通信部４に無線通信によって送信させる。この送信された照明状態情報ＩＬは、サーバ８によって受信される。サーバ８は、受信した照明状態情報ＩＬに含まれるエリア情報ＩＬ２に対応するエリアに属する照明器具７に、照明状態情報ＩＬをネットワークＮを介して送信する。照明状態情報ＩＬを受信した照明器具７の照明側制御部７３は、照明状態情報ＩＬに含まれるＯＮ／ＯＦＦ情報ＩＬ３や発光調節情報ＩＬ４に設定された情報にしたがって、光源部７１を制御する。
【００９６】
ステップＳ９の後は、ステップＳ１０において、処理終了であるかを判定する。なお、ステップＳ５において第２スイッチ部２２が押下されていない場合（ステップＳ５：Ｎｏ）も、ステップＳ１０を実行する。処理を終了する操作がなされていない場合（ステップＳ１０：Ｎｏ）、操作側制御部５は、ステップＳ１を再び実行する。ステップＳ１０において処理を終了させる操作がなされている場合（ステップＳ１０：Ｙｅｓ）、操作側制御部５は、処理を終了する（ステップＳ１１）。
【００９７】
次に、照明システムＡ１の作用について説明する。
【００９８】
本実施形態によれば、照明システムＡ１は、複数の照明器具７を備えている。サーバ８には、操作装置１の操作に基づいて生成された照明状態情報ＩＬが、無線通信を利用して送信される。サーバ８は受信した照明状態情報ＩＬに基づいて制御情報を与えるべき照明器具７を特定し、それらの照明器具７の照明器具ＩＤを用いて、ネットワークＮを経由して所定の照明器具７に、ＯＮ／ＯＦＦや調光率などの制御情報を与える。このため、複数の照明器具７が様々な箇所に設置されていても、壁面ＷＬ等の特定箇所に設置された操作装置１から照明器具７の制御を行うことができる。このため、照明器具７の個数や配置箇所に応じて、一般的に操作装置１よりも構成が複雑であり高コストであるコントローラ等を増設する必要がない。したがって、コスト増大を抑制しつつ複数の照明器具７を適切に制御することができる。
【００９９】
複数の照明器具７は、複数のエリアにそれぞれ属するように設定されており、照明状態情報ＩＬは、制御対象を特定するエリア情報ＩＬ２を含む。このため、１つの操作装置１によって、複数のエリアに分かれて配置された複数の照明器具７のうち任意のエリアの照明器具７を選択的に制御することができる。
【０１００】
操作側制御部５は、第１操作領域２０１が第１所定時間以上押下された場合に、ＯＮ／ＯＦＦ情報ＩＬ３をＯＮ状態とし、第２操作領域２０２が第２所定時間以上押下された場合にＯＮ／ＯＦＦ情報ＩＬ３をＯＦＦ状態とする。これにより、偶発的な操作部２への接触によって、該当するエリアの照明器具７が意図せず点灯したり消灯したりすることを防止することができる。
【０１０１】
操作側制御部５は、第１操作領域２０１が第１所定時間未満だけ押下された場合に、発光調節情報ＩＬ４をたとえば１０％ｕｐに設定し、第２操作領域２０２が第２所定時間未満だけ押下された場合に発光調節情報ＩＬ４をたとえば１０％ｄｏｗｎとする。これにより、１つの操作部２の第１操作領域２０１および第２操作領域２０２に対する押下によって、照明器具７の光源部７１のＯＮ，ＯＦＦと調光率の増加および減少という４種類の操作を行うことができる。また、ＯＮ／ＯＦＦ情報ＩＬ３および発光調節情報ＩＬ４のいずれを設定するかを、第１所定時間および第２所定時間を基準として、押下時間の長短によって判断することにより、使用者の感覚に応じた制御を確実に行うことができる。
【０１０２】
図８および図９に示すように、操作部２のパネル部２１０は、揺動可能であることにより、第１状態、第２状態および中立状態をとる。これにより、パネル部２１０によって第１スイッチ部２１および第２スイッチ部２２の双方を選択的に押下することが可能である。このため、第１スイッチ部２１および第２スイッチ部２２を別々に押下するための２つの部材を設ける必要がない。これは、操作装置１のコスト低減に有利である。
【０１０３】
また、たとえば、図９に示すように、第１操作領域２０１が力Ｆ１によって押下されると、パネル部２１０は、第１スイッチ部２１を押下する第１状態をとる。この際、対応するパネル部２１０の第１操作領域２０１側に位置する２つの弾性変形部２１５は、図１０に示すように、ケース３の当接部３６に当接し、弾性変形する。この弾性変形により、これらの弾性変形部２１５は、力Ｆ１とは逆向きの弾性力Ｆ２を付勢する。この弾性力Ｆ２は、パネル部２１０を図８に示す中立位置に復帰させる方向に作用する。ただし、弾性力Ｆ２は、力Ｆ１よりも小さい。このため、力Ｆ１が作用している間、すなわち使用者が第１操作領域２０１を押下している間は、パネル部２１０は、第１状態を維持する。使用者が第１操作領域２０１の押下を中止すると、力Ｆ１が除外される。このため、パネル部２１０は、弾性力Ｆ２によって図８に示す中立状態に復帰する。このような挙動は、第２操作領域２０２が押下された場合も同様である。したがって、使用者は、第１操作領域２０１および第２操作領域２０２への押下のみを行えば、照明器具７を操作することが可能であり、操作部２を復帰させるための操作を行う必要がなく、操作効率を向上させることができる。
【０１０４】
図１６に示すように、押さえ部２４０は、ｘ方向両側に配置された複数の係止部２４４によって、カバー部２２０に取り付けられている。ｘ方向における片側の係止部２４４の係合を解除することにより、押さえ部２４０は、ｘ方向他方側を中心として回転可能となる。これにより、カバー部２２０から押さえ部２４０を完全に離脱させることなく、エリアプレート２３０の交換や記載内容の変更等を行うことが可能である。また、ｘ方向両側の一方を取り外し、他方を中心として回転させることが可能である構成は、たとえば、右利きおよび左利きのいずれの使用者であってもより容易に操作を行うことが可能であるという利点がある。
【０１０５】
操作装置１は、電池６１によって駆動される。このため、操作装置１に電力を供給するための電源配線等を設置する必要がない。また、電池６１の電圧が所定の閾値以下になると発光インジケータ６３が点灯する。このため、電池６１の残量不足により、照明器具７の操作が行えなくなるといった事態を未然に防ぐことができる。
【０１０６】
なお、電池６１に代えて、操作装置１は、外部電源から電力が供給される構成であってもよい。この場合、電池６１を交換するといった負担が軽減される。
【０１０７】
操作装置１は、取付部６２によって壁面ＷＬ等に対して脱着自在である。これにより、操作装置１を壁面ＷＬから取り外して、使用者の任意の場所から操作することができる。
【０１０８】
パネル部２１０には、第１操作領域２０１および第２操作領域２０２に対応する２つの突起２１６が形成されている。これにより、比較的暗い場所であっても、手探りで操作装置１の第１操作領域２０１または第２操作領域２０２の押下を行うことができる。
【０１０９】
図１９〜図２１は、本発明の変形例および他の実施形態を示している。なお、これらの図において、上記実施形態と同一または類似の要素には、上記実施形態と同一の符号を付している。
【０１１０】
＜第１実施形態  変形例＞
図１９は、照明システムＡ１の変形例を示すシステム構成図である。本変形例の照明システムＡ１１においては、エリアＡＲ１に複数の照明器具７が属している。
【０１１１】
本例において、操作装置１を用いた操作によって、エリアＡＲ１を対象としたＯＮ／ＯＦＦや調光率の変更がなされると、エリアＡＲ１に属する複数の照明器具７の照明状態が一括して変更される。
【０１１２】
本例から理解されるように、各エリアに属する照明器具７の個数は、何ら限定されない。また、１つのエリアに複数の照明器具７が属している場合、操作装置１を用いた１回の操作によって、複数の照明器具７を一括して制御することができる。
【０１１３】
＜第２実施形態＞
図２０は、本発明の第２実施形態に係る照明システムを示すシステム構成図である。本実施形態の照明システムＡ２は、複数の操作装置１を備える点が、上述した実施形態と異なっている。
【０１１４】
本実施形態においては、複数の操作装置１が特定箇所の一例である壁面ＷＬ等に取り付けられている。複数の操作装置１は、互いに同じ構成であってもよいし、異なる構成であってもよい。たとえば、複数の操作装置１が同じ構成である場合、各操作装置１は、エリアＡＲ１〜エリアＡＲｎのすべてのエリアの照明器具７を操作可能であることが好ましい。一方、複数の操作装置１が互いに異なる構成である場合として、たとえば、ある操作装置１が操作可能であるエリアと、他の操作装置１が操作可能であるエリアとが、一部またはすべてにおいて異なる構成が挙げられる。
【０１１５】
本実施形態においては、各操作装置１には、照明状態情報ＩＬのスイッチ情報ＩＬ１に設定される認識情報がそれぞれに割り当てられている。図示された例においては、図中左方の操作装置１にＳＷ１が割り当てられており、図中右方の操作装置１にＳＷ２が割り当てられている。
【０１１６】
操作装置１（ＳＷ１）から操作がなされると、操作装置１（ＳＷ１）からの照明状態情報ＩＬのスイッチ情報ＩＬ１には、ＳＷ１が割り当てられる。サーバ８は、受信した照明状態情報ＩＬのスイッチ情報ＩＬ１から、いずれの操作装置１からの操作であるかを認識することができる。一方の操作装置１（ＳＷ２）から操作がなされると、操作装置１（ＳＷ１）からの照明状態情報ＩＬのスイッチ情報ＩＬ１には、ＳＷ２が割り当てられる。
【０１１７】
本実施形態によっても、上述した照明システムＡ１と同様の効果が得られる。また、本実施形態から理解されるように、操作装置１の個数は特に限定されない。複数の操作装置１を設置可能であることにより、より広範な場所に離散して設置された複数の照明器具７を、より適切に操作することができる。
【０１１８】
照明状態情報ＩＬがスイッチ情報ＩＬ１を含むことにより、サーバ８は、いずれの操作装置１からの操作であるかを認識することができる。これは、たとえば、あるエリアに属する照明器具７とある操作装置１とが、現実的に操作を行えないほどの遠距離に設置されている場合、サーバ８は、当該操作装置１からの照明状態情報ＩＬのスイッチ情報ＩＬ１が当該エリアを指定していても、当該エリアの照明器具７に照明状態情報ＩＬを送信しないといった処理を行うことができる。これにより、意図しない誤操作を防止することができる。
【０１１９】
＜第３実施形態＞
図２１は、本発明の第３実施形態に係る照明システムを示すシステム構成図である。本実施形態の照明システムＡ３は、上述した実施形態におけるサーバ８を備えない点が異なっている。
【０１２０】
本実施形態においては、複数の照明器具７は、所望の位置に設置されており、たとえば有線のネットワークＮ等によっては、互いに接続されていない。照明器具７の照明側通信部７２は、無線通信機能を有する。照明側通信部７２の無線通信の規格等は、特に限定されず、操作装置１との無線通信が可能なものであればよく、たとえば、IEEE802.11に準拠するWi-FiやIEEE802.15.1に準拠するBluetooth（登録商標）、ISO/IEC14543に準拠するEnOcean（登録商標）等が例示される。
【０１２１】
本実施形態においては、操作装置１からの照明状態情報ＩＬをすべての照明器具７が受信する。各照明器具７は、当該照明器具７が属するエリアが設定されている。各照明器具７は、当該照明器具７が属するエリアがエリア情報ＩＬ２に割り当てられている場合に、ＯＮ／ＯＦＦ情報ＩＬ３や発光調節情報ＩＬ４にしたがって照明状態を制御する。
【０１２２】
また、照明システムＡ３は、設定端末９を備えている。設定端末９は、設定制御部９１、設定通信部９２および設定記憶部９３を有している。設定端末９の具体例としては、たとえばタブレット端末やスマートフォンが挙げられる。
【０１２３】
設定端末９は、上述した実施形態においてサーバ８が複数の照明器具７に対して行っていた初期設定処理を行うための端末である。操作入力部９４は、設定処理者が設定端末９に対して入力を行う部位である。表示部９５は、設定処理等に必要な情報を表示する部位であり、たとえば液晶ディスプレイ等である。なお、操作入力部９４は、表示部９５と一体化されたタッチパネルであってもよい。また、操作入力部９４としては、キーボード等を採用してもよい。設定制御部９１は、操作入力部９４からの操作入力に対応した設定作業処理を行う。設定通信部９２は、無線通信を行う部位であり、初期設定に関する情報を該当する照明器具７に対して送信する。設定記憶部９３は、初期設定処理に必要な各種の情報や設定値を記憶している部位であり、たとえば半導体メモリからなる。
【０１２４】
初期設定においては、各照明器具７がいずれのエリアに属するかという情報が各照明器具７に設定される。また、上述の本発明の第１および第２の実施形態においては、各操作装置１から送信された照明状態情報ＩＬに基づいて、サーバ８が照明器具７に制御情報を与えていたが、本実施形態では、操作装置１から送信された照明状態情報ＩＬを照明器具７が直接受信する。このため、エリア情報ＩＬ２とエリアＡＲ１〜エリアＡＲｎとの対応づけに関する情報は、初期設定の際に各照明器具７の記憶部に登録される。これにより、操作装置１から送信されてきたスイッチ情報ＩＬ１とエリア情報ＩＬ２とを用いて、自照明器具のＯＮ／ＯＦＦや調光率を制御すべきか認識できる。
【０１２５】
このような実施形態から理解されるように、本発明の照明システムは、サーバ８を備えない構成であってもよい。各照明器具７に無線通信機能を具備することにより、設置場所に有線のネットワーク等を敷設する必要がなく、システムのコストを低減することができる。サーバ８を有さない構成であっても、照明状態情報ＩＬがエリア情報ＩＬ２を含むことにより、捜査対象であるエリアの照明器具７を確実に操作することができる。
【０１２６】
本発明に係る照明システムは、上述した実施形態に限定されるものではない。本発明に係る照明システムの各部の具体的な構成は、種々に設計変更自在である。
【符号の説明】
【０１２７】
Ａ１，Ａ１１，Ａ２，Ａ３：照明システム
１      ：操作装置
２      ：操作部
３      ：ケース
４      ：操作側通信部
５      ：操作側制御部
７      ：照明器具
８      ：サーバ
９      ：設定端末
２１    ：第１スイッチ部
２２    ：第２スイッチ部
２９    ：スイッチ基板
３１    ：前面部
３２    ：背面部
３３，３４：側面部
３５    ：揺動支持部
３６    ：当接部
３７    ：係止部
３８    ：電池収容部
６１    ：電池
６２    ：取付部
６３    ：発光インジケータ
７１    ：光源部
７２    ：照明側通信部
７３    ：照明側制御部
７４    ：電源部
８１    ：主制御部
８２    ：主通信部
８３    ：主記憶部
９１    ：設定制御部
９２    ：設定通信部
９３    ：設定記憶部
９４    ：操作入力部
９５    ：表示部
２０１  ：第１操作領域
２０２  ：第２操作領域
２０３  ：エリア表示部
２１０  ：パネル部
２１１  ：主板部
２１２  ：開口
２１３  ：側板部
２１４  ：取付部
２１５  ：弾性変形部
２１６  ：突起
２１７  ：押下突起
２２０  ：カバー部
２２１  ：主板部
２２２  ：凸窓部
２２３  ：係止板部
２２４  ：突起
２３０  ：エリアプレート
２４０  ：押さえ部
２４１  ：主板部
２４３  ：アーム部
２４４  ：係止部
２９１  ：開口
３１１  ：開口
３８１  ：電池カバー
６２１  ：プレート部
６２２  ：係止部
６２３  ：ねじ
８２１  ：有線部
８２２  ：無線部
ＡＲ１，ＡＲ２，ＡＲｎ：エリア
ＩＬ    ：照明状態情報
ＩＬ１  ：スイッチ情報
ＩＬ２  ：エリア情報
ＩＬ３  ：ＯＦＦ情報
ＩＬ４  ：発光調節情報
Ｎ      ：ネットワーク
ＷＬ    ：壁面
【図１】
2019204705.tif 000003
【図２】
2019204705.tif 000004
【図３】
2019204705.tif 000005
【図４】
2019204705.tif 000006
【図５】
2019204705.tif 000007
【図６】
2019204705.tif 000008
【図７】
2019204705.tif 000009
【図８】
2019204705.tif 000010
【図９】
2019204705.tif 000011
【図１０】
2019204705.tif 000012
【図１１】
2019204705.tif 000013
【図１２】
2019204705.tif 000014
【図１３】
2019204705.tif 000015
【図１４】
2019204705.tif 000016
【図１５】
2019204705.tif 000017
【図１６】
2019204705.tif 000018
【図１７】
2019204705.tif 000019
【図１８】
2019204705.tif 000020
【図１９】
2019204705.tif 000021
【図２０】
2019204705.tif 000022
【図２１】
2019204705.tif 000023